【手続補正書】
【提出日】平成24年6月7日(2012.6.7)
【手続補正１】
【補正対象書類名】特許請求の範囲
【補正対象項目名】全文
【補正方法】変更
【補正の内容】
【特許請求の範囲】
【請求項１】
音声データを入力する入力手段と、
前記入力手段により入力された音声データのチャンネル数を検出する検出手段と、
ユーザにより設定された音量に応じて、出力チャンネルの数を決定する決定手段と、
前記検出手段により検出された前記入力音声データのチャンネル数と前記決定手段により決定された出力チャンネル数とに基づいて前記入力音声データを処理する手段であって、前記検出手段により検出された前記入力音声データのチャネル数と前記決定手段により決定された出力チャンネル数とが違っていた場合に、前記入力音声データから、前記出力チャンネル数に対応したチャンネル数の出力用の音声データを生成する処理手段と、
複数のスピーカによる音声の出力を制御する駆動手段と、
前記駆動手段を制御する制御手段とを備え、
前記制御手段は、前記決定手段により決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記駆動手段を制御し、前記設定された音量に応じて、前記選択したスピーカにより出力される前記決定された出力チャネル数の前記出力用の音声データに応じた音声の音量を変更するように前記駆動手段を制御することを特徴とする音声処理装置。
【請求項２】
前記決定手段は、前記設定された音量と閾値とを比較し、この比較結果に基づいて前記出力チャンネル数を決定することを特徴とする請求項１に記載の音声処理装置。
【請求項３】
前記駆動手段は、前記複数のスピーカに出力する音声データを増幅する複数の増幅器と、前記複数の増幅器に電力を供給する複数のスイッチング電源とを有し、
前記制御手段は、前記設定された音量に応じて、前記出力用の音声データを増幅するための前記増幅器に電力を供給するスイッチング電源の動作周波数を制御することを特徴とする請求項１に記載の音声処理装置。
【請求項４】
前記制御手段は、前記他のスピーカにより出力される音声に対応した音声データを増幅するための増幅器に電力を供給している前記スイッチング電源の動作を停止することを特徴とする請求項３に記載の音声処理装置。
【請求項５】
前記決定手段により決定された前記出力チャンネル数が変更された場合、前記制御手段は、前記駆動手段を制御して、前記選択されたスピーカの音圧が、前記設定された前記出力チャンネル数の変更にかかわらず維持されるように、前記選択されたスピーカにより出力される音声の音量を調整することを特徴とする請求項１に記載の音声処理装置。
【請求項６】
入力された音声データのチャンネル数を検出するステップと、
ユーザにより設定された音量に応じて出力チャンネルの数を決定するステップと、
前記検出された前記入力音声データのチャンネル数と前記決定されたチャンネル数とに基づいて前記入力音声データを処理するステップであって、前記検出された前記入力音声データのチャンネル数と前記決定された出力チャンネル数とが違っていた場合に、前記入力音声データから、前記出力チャンネル数に対応したチャンネル数の出力用の音声データを生成するステップと、
複数のスピーカによる音声の出力を制御するステップとを有し、
前記制御するステップは、前記決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記複数のスピーカによる音声の出力を制御し、前記設定された音量に応じて、前記選択したスピーカにより出力される前記決定された出力チャンネル数の前記出力用の音声データに応じた音声の音量を変更するように複数のスピーカによる音声の出力を制御することを特徴とする音声処理方法。
【請求項７】
音声データを入力する入力手段と、
ユーザにより設定された音量に基づいて出力チャンネル数を決定する手段であって、前記設定された音量が第１の閾値よりも小さい場合、前記出力チャンネル数を第１のチャンネル数に決定し、前記設定された音量が前記第１の閾値以上の場合、前記出力チャンネル数を前記第１のチャンネル数よりも大きい第２のチャンネル数に決定し、前記設定された音量が前記第１の閾値よりも大きい第２の閾値以上の場合、前記出力チャンネル数を前記第２のチャンネル数よりも大きい第３のチャンネル数に決定する決定手段と、
前記入力音声データから、前記決定手段により決定された出力チャンネル数に対応したチャンネル数の出力用の音声データを生成する処理手段と、
複数のスピーカによる音声の出力を制御する駆動手段と、
前記決定手段により決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記駆動手段を制御する制御手段とを備えることを特徴とする音声処理装置。
【請求項８】
前記駆動手段は、前記第３のチャンネル数に対応した所定数の前記スピーカによる音声の出力を制御することを特徴とする請求項７に記載の音声処理装置。
【請求項９】
音声データを入力するステップと、
ユーザにより設定された音量に基づいて出力チャンネル数を決定するステップであって、前記設定された音量が第１の閾値よりも小さい場合、前記出力チャンネル数を第１のチャンネル数に決定し、前記設定された音量が前記第１の閾値以上の場合、前記出力チャンネル数を前記第１のチャンネル数よりも大きい第２のチャンネル数に決定し、前記設定された音量が前記第１の閾値よりも大きい第２の閾値以上の場合、前記出力チャンネル数を前記第２のチャンネル数よりも大きい第３のチャンネル数に決定するステップと、
前記入力音声データから、前記決定された出力チャネル数に対応したチャネル数の出力
用の音声データを生成するステップと、
複数のスピーカによる音声の出力を制御するステップとを有し、
前記制御するステップは、前記決定するステップにより決定された出力チャンネル数に基づいて、前記複数のスピーカのうち前記出力用の音声データに応じた音声を出力するためのスピーカを選択し、前記選択されたスピーカにより前記出力用の音声データに応じた音声を出力して前記選択されたスピーカ以外の他のスピーカによる音声の出力を停止するように複数のスピーカによる音声の出力を制御することを特徴とする音声処理方法。
【手続補正２】
【補正対象書類名】明細書
【補正対象項目名】発明の名称
【補正方法】変更
【補正の内容】
【発明の名称】音声処理装置および音声処理方法
【手続補正３】
【補正対象書類名】明細書
【補正対象項目名】００１０
【補正方法】変更
【補正の内容】
【００１０】
上述目的を達成するために、本発明の音声処理装置にあっては、音声データを入力する入力手段と、前記入力手段により入力された音声データのチャンネル数を検出する検出手段と、ユーザにより設定された音量に応じて、出力チャンネルの数を決定する決定手段と、前記検出手段により検出された前記入力音声データのチャンネル数と前記決定手段により決定された出力チャンネル数とに基づいて前記入力音声データを処理する手段であって、前記検出手段により検出された前記入力音声データのチャネル数と前記決定手段により決定された出力チャンネル数とが違っていた場合に、前記入力音声データから、前記出力チャンネル数に対応したチャンネル数の出力用の音声データを生成する処理手段と、複数のスピーカによる音声の出力を制御する駆動手段と、前記駆動手段を制御する制御手段とを備え、前記制御手段は、前記決定手段により決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記駆動手段を制御し、前記設定された音量に応じて、前記選択したスピーカにより出力される前記決定された出力チャネル数の前記出力用の音声データに応じた音声の音量を変更するように前記駆動手段を制御することを特徴とする。また、本発明の音声処理方法にあっては、入力された音声データのチャンネル数を検出するステップと、ユーザにより設定された音量に応じて出力チャンネルの数を決定するステップと、前記検出された前記入力音声データのチャンネル数と前記決定されたチャンネル数とに基づいて前記入力音声データを処理するステップであって、前記検出された前記入力音声データのチャンネル数と前記決定された出力チャンネル数とが違っていた場合に、前記入力音声データから、前記出力チャンネル数に対応したチャンネル数の出力用の音声データを生成するステップと、複数のスピーカによる音声の出力を制御するステップとを有し、前記制御するステップは、前記決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記複数のスピーカによる音声の出力を制御し、前記設定された音量に応じて、前記選択したスピーカにより出力される前記決定された出力チャンネル数の前記出力用の音声データに応じた音声の音量を変更するように複数のスピーカによる音声の出力を制御することを特徴とする。
【手続補正４】
【補正対象書類名】明細書
【補正対象項目名】００１１
【補正方法】変更
【補正の内容】
【００１１】
また、本発明の他の音声処理装置にあっては、音声データを入力する入力手段と、ユーザにより設定された音量に基づいて出力チャンネル数を決定する手段であって、前記設定された音量が第１の閾値よりも小さい場合、前記出力チャンネル数を第１のチャンネル数に決定し、前記設定された音量が前記第１の閾値以上の場合、前記出力チャンネル数を前記第１のチャンネル数よりも大きい第２のチャンネル数に決定し、前記設定された音量が前記第１の閾値よりも大きい第２の閾値以上の場合、前記出力チャンネル数を前記第２のチャンネル数よりも大きい第３のチャンネル数に決定する決定手段と、前記入力音声データから、前記決定手段により決定された出力チャンネル数に対応したチャンネル数の出力用の音声データを生成する処理手段と、複数のスピーカによる音声の出力を制御する駆動手段と、前記決定手段により決定された出力チャンネル数に基づいて、前記複数のスピーカのうち前記出力用の音声データに応じた音声を出力するためのスピーカを選択し、前記選択したスピーカにより前記出力用の音声データに応じた音声を出力して前記選択したスピーカ以外の他のスピーカによる音声の出力を停止するように前記駆動手段を制御する制御手段とを備えることを特徴とする。また、本発明の他の音声処理方法にあっては、音声データを入力するステップと、ユーザにより設定された音量に基づいて出力チャンネル数を決定するステップであって、前記設定された音量が第１の閾値よりも小さい場合、前記出力チャンネル数を第１のチャンネル数に決定し、前記設定された音量が前記第１の閾値以上の場合、前記出力チャンネル数を前記第１のチャンネル数よりも大きい第２のチャンネル数に決定し、前記設定された音量が前記第１の閾値よりも大きい第２の閾値以上の場合、前記出力チャンネル数を前記第２のチャンネル数よりも大きい第３のチャンネル数に決定するステップと、前記入力音声データから、前記決定された出力チャネル数に対応したチャネル数の出力用の音声データを生成するステップと、複数のスピーカによる音声の出力を制御するステップとを有し、前記制御するステップは、前記決定するステップにより決定された出力チャンネル数に基づいて、前記複数のスピーカのうち前記出力用の音声データに応じた音声を出力するためのスピーカを選択し、前記選択されたスピーカにより前記出力用の音声データに応じた音声を出力して前記選択されたスピーカ以外の他のスピーカによる音声の出力を停止するように複数のスピーカによる音声の出力を制御することを特徴とする。